(57)【特許請求の範囲】
【請求項１】
オンライン投稿に対する検索要求を受信すること、
前記検索要求から、目標場所および前記目標場所からの目標距離範囲を決定すること、
前記目標距離範囲内の投稿場所から投稿され、その内容に前記目標場所に関連する少なくとも１つの語を含む、１つまたは複数のオンライン投稿を取り出すこと、
前記取り出された１つまたは複数のオンライン投稿それぞれを投稿するのに用いられたデバイスのロケーション情報に少なくとも部分的に基づいて、前記取り出された１つまたは複数のオンライン投稿が投稿された個々の投稿場所を識別すること、
前記目標場所に関連する前記語と、対応する前記取り出されたオンライン投稿が投稿された前記投稿場所とに少なくとも部分的に基づいて、前記取り出された１つまたは複数のオンライン投稿の個々の信頼性をそれぞれ判定することであって、前記判定された個々の信頼性は、前記目標場所と前記投稿場所の間の距離が増大するにつれ、低下すること、
前記検索要求に対する応答として、前記判定された個々の信頼性が所定の値より低い前記取り出されたオンライン投稿を除いて、前記１つまたは複数のオンライン投稿を提示すること、
前記目標場所からの前記目標距離範囲内におけるオンライン投稿の量の変動を監視すること、および
前記目標距離範囲内で投稿されたオンライン投稿の量が急に増加した場合、事象発生の時刻および場所を推定することを備える方法。
【請求項２】
前記デバイスの前記ロケーション情報は、前記１つまたは複数のオンライン投稿が投稿された際の前記デバイスのＧＰＳ（全地球測位システム）情報を含む請求項１に記載の方法。
【請求項３】
前記１つまたは複数のオンライン投稿を、前記１つまたは複数のオンライン投稿が投稿された前記個々の投稿場所と一緒に提示することをさらに備える請求項１に記載の方法。
【請求項４】
前記１つまたは複数のオンライン投稿を、前記１つまたは複数のオンライン投稿の前記判定された個々の信頼性と一緒に提示することをさらに備える請求項１に記載の方法。
【請求項５】
実行に応答して、サーバに、
検索要求から、目標場所および前記目標場所からの目標距離範囲を決定すること、
前記目標距離範囲内の投稿場所から投稿され、その内容に前記目標場所に関連する１つの語を含む、複数のオンライン投稿を取り出すこと、
前記取り出された複数のオンライン投稿それぞれを投稿するのに用いられたデバイスのロケーション情報に少なくとも部分的に基づいて、前記取り出された複数のオンライン投稿が投稿された個々の投稿場所を識別すること、
前記目標場所に関連する前記語と、対応する前記取り出されたオンライン投稿が投稿された前記投稿場所とに少なくとも部分的に基づいて、前記複数のオンライン投稿の個々の信頼性をそれぞれ判定することであって、前記判定された個々の信頼性は、前記目標場所と前記投稿場所の間の距離が増大するにつれ、低下すること、
所定の数値より低い前記判定された個々の信頼性を有する前記取り出されたオンライン投稿を除くことを含む、前記判定された信頼性に少なくとも部分的に基づいて前記取り出された複数のオンライン投稿を選別すること、
前記目標場所からの前記目標距離範囲内におけるオンライン投稿の量の変動を監視すること、および
前記目標距離範囲内で投稿されたオンライン投稿の量が急に増加した場合、事象発生の時刻および場所を推定すること
を備える動作を実行させるコンピュータ実行可能命令を格納しているコンピュータ可読記憶媒体。
【請求項６】
前記複数のオンライン投稿が投稿された個々の投稿場所を識別することが、前記対応するオンライン投稿が投稿された時刻における、前記対応するオンライン投稿を投稿するのに用いられたデバイスのＧＰＳ（全地球測位システム）情報に少なくとも部分的に基づいている、請求項５に記載のコンピュータ可読記憶媒体。
【請求項７】
前記動作は、
前記複数のオンライン投稿を前記判定された信頼性の順序で並べ替えることをさらに備える請求項５に記載のコンピュータ可読記憶媒体。
【請求項８】
前記動作は、
前記取り出された複数のオンライン投稿を、前記取り出された個々のオンライン投稿が投稿された個々の投稿場所と一緒に提示することをさらに備える請求項５に記載のコンピュータ可読記憶媒体。
【請求項９】
前記動作は、
前記取り出された複数のオンライン投稿を前記判定された個々の信頼性と一緒に提示することをさらに備える請求項５に記載のコンピュータ可読記憶媒体。
【請求項１０】
前記方法がサーバにおいて実行される、請求項１記載の方法。
【請求項１１】
オンライン投稿に対する検索要求を受信するように構成された受信器と、
プロセッサとを含む装置であって、前記プロセッサは、
前記検索要求から、目標場所および前記目標場所からの目標距離範囲を決定し、
前記目標距離範囲内の投稿場所から投稿され、その内容に前記目標場所に関連する少なくとも１つの語を含む、１つまたは複数のオンライン投稿を取り出し、
前記取り出された１つまたは複数のオンライン投稿それぞれを投稿するのに用いられたデバイスのロケーション情報に少なくとも部分的に基づいて、前記取り出された１つまたは複数のオンライン投稿が投稿された個々の投稿場所を識別し、
前記目標場所に関連する前記語と、対応する前記取り出されたオンライン投稿が投稿された前記投稿場所とに少なくとも部分的に基づいて、前記取り出された１つまたは複数のオンライン投稿の個々の信頼性をそれぞれ判定し、前記判定された個々の信頼性は、前記目標場所と前記投稿場所の間の距離が増大するにつれ、低下し、
前記検索要求に対する応答として、前記判定された個々の信頼性が所定の値より低い前記取り出されたオンライン投稿を除いて、前記１つまたは複数のオンライン投稿を提示し、
前記目標場所からの前記目標距離範囲内におけるオンライン投稿の量の変動を監視し、
前記目標距離範囲内で投稿されたオンライン投稿の量が急に増加した場合、事象発生の時刻および場所を推定するように構成される、装置。
【請求項１２】
前記目標距離範囲は、地図上の円、多角形、またはループ状の曲線によって規定される、請求項１に記載の方法。
【請求項１３】
前記目標距離範囲は、地図上の円、多角形、またはループ状の曲線によって規定される、請求項５に記載のコンピュータ可読記憶媒体。
【請求項１４】
前記目標距離範囲は、地図上の円、多角形、またはループ状の曲線によって規定される、請求項１１に記載の装置。
【発明の詳細な説明】
【背景技術】
【０００１】
フェイスブック、グーグルプラス、ツイッターなどのソーシャルネットワーキングサービスが、世界中で広く使用されている。ソーシャルネットワーキングサービスを介して、人々は、その人々が聞いたニュース、その人々の活動、その人々の考えおよび／または意見、画像および／またはビデオ、および／またはその人々が他の人々と共有することを所望する任意のものを自由に投稿する。人々が投稿する無数の情報のなかで、一部の情報は偽であり、このため、役に立たない。
【発明の概要】
【課題を解決するための手段】
【０００２】
一実施例において、方法が、オンライン投稿から、場所に関連する少なくとも１つの語を識別すること、オンライン投稿が投稿された出所のロケーションを識別すること、および場所に関連する識別された語と、オンライン投稿が投稿された出所の識別されたロケーションとに少なくとも部分的に基づいて、オンライン投稿の信頼性を判定することを含み得る。
【０００３】
一実施例において、方法が、デバイスから、目標区域に関する情報を含む検索要求を受信すること、データベースから、目標区域内で投稿された１つまたは複数のオンライン投稿を取り出すこと、および取り出されたオンライン投稿をデバイスに提示することを含み得る。
【０００４】
一実施例において、方法が、デバイスから、検索クエリを含む検索要求を受信すること、検索クエリから、目標場所を識別し、識別された目標場所からの目標距離範囲を識別すること、データベースから、識別された目標場所に関連する少なくとも１つの語を含み、識別された目標場所から目標距離範囲内で投稿された１つまたは複数のオンライン投稿を取り出すこと、および取り出されたオンライン投稿をデバイスに提示することを含み得る。
【０００５】
一実施例において、方法が、オンライン投稿の量の変動を監視すること、および或る区域内で投稿されたオンライン投稿の量が急に増加した場合、いつどこでそれらのオンライン投稿が投稿されたかに少なくとも部分的に基づいて、事象発生の時刻および場所を推定することを含み得る。
【０００６】
一実施例において、方法が、オンライン投稿の量の変動を監視すること、および或る区域内で投稿されたオンライン投稿の量が急に増加した場合、アラームをトリガすることを含み得る。
【０００７】
一実施例において、コンピュータ可読記憶媒体が、実行に応答して、サーバに、対応するオンライン投稿が投稿された出所のロケーションに少なくとも部分的に基づいて、複数のオンライン投稿の各投稿の信頼性を判定すること、および判定された信頼性に少なくとも部分的に基づいて、複数のオンライン投稿を選別することを含む動作を実行させるコンピュータ実行可能命令を格納することが可能である。
【０００８】
前述の概要は、単に例示的であり、限定することは全く意図していない。前述した例示的な態様、実施形態、および特徴に加えて、さらなる態様、実施形態、および特徴が、図面、および後段の詳細な説明を参照することによって明白となろう。
【０００９】
本開示の上述の、およびその他の特徴は、添付の図面と併せて解釈される、後段の説明、および添付の特許請求の範囲から、より明白となろう。これらの図面は、本開示によるいくつかの実施形態だけを示し、したがって、本開示の範囲を限定するものと考えられるべきではないものと理解して、本開示を、添付の図面の使用を介して、さらに具体的に、さらに詳細に説明する。
【図面の簡単な説明】
【００１０】
【図１】本明細書で説明される少なくとも一部の実施形態により構成されたサーバの例示的なアーキテクチャを示す概略ブロック図である。
【図２】本明細書で説明される少なくとも一部の実施形態により構成された、ユーザから、目標区域に関する情報を受け取り、その目標区域に関する情報を検索要求と一緒にサーバに送信するように構成されたデバイスの例示的な実施例を概略で示す図である。
【図３】本明細書で説明される少なくとも一部の実施形態により構成された、ロケーション情報に少なくとも部分的に基づいて、オンライン投稿の信頼性を判定するためのプロセスの例示的な流れ図である。
【図４】本明細書で説明される少なくとも一部の実施形態により構成された、１つまたは複数のオンライン投稿に関する検索要求に応答して検索結果をもたらすためのプロセスの例示的な流れ図である。
【図５】本明細書で説明される少なくとも一部の実施形態により構成された、１つまたは複数のオンライン投稿に関する検索要求に応答して検索結果をもたらすためのプロセスの別の例示的な流れ図である。
【図６】本明細書で説明される少なくとも一部の実施形態により構成された、ロケーション情報に少なくとも部分的に基づいて、オンライン投稿の信頼性を判定するのに利用され得る例示的なコンピュータプログラム製品を示す図である。
【図７】本明細書で説明される少なくとも一部の実施形態により構成された、ロケーション情報に少なくとも部分的に基づいて、オンライン投稿の信頼性を判定し、さらに／または１つもしくは複数のオンライン投稿に関する検索要求に応答して検索結果をもたらすのに利用され得る例示的なコンピューティングデバイスを示すブロック図である。
【発明を実施するための形態】
【００１１】
以下の詳細な説明において、本明細書の一部分を形成する添付の図面を参照する。図面において、文脈がそうでないことを規定するのでない限り、同様の符号は、通常、同様の構成要素を識別する。詳細な説明、図面、および特許請求の範囲において説明される例示的な実施形態は、限定することは意図していない。本明細書で提示される主題の趣旨または範囲を逸脱することなく、他の実施形態が利用されることが可能であり、他の変更が行われることが可能である。本明細書で全体的に説明され、図面に例示される本開示の態様は、すべて本明細書で明確に企図されている、多種多様な異なる構成で配置されること、置換されること、組み合わされること、分離されること、および設計されることが可能であることが容易に理解されよう。
【００１２】
本開示は、とりわけ、ユーザが考え、活動、イベント、および関心を共有することを可能にする、たとえば、ソーシャルネットワーキングサービスなどのオンラインサービスと関係する方法、装置、システム、デバイス、およびコンピュータプログラム製品に全体的に関する。
【００１３】
オンライン投稿の信頼性を判定するための技術が、全体的に説明される。一部の実施例において、サーバが、オンライン投稿の信頼性を、そのオンライン投稿が投稿された出所のロケーションに少なくとも部分的に基づいて、判定することが可能である。例として、限定としてではなく、サーバは、フェイスブック、グーグルプラス、ツイッターなどのソーシャルネットワークサービス（ＳＮＳ）プロバイダ、電子掲示板サービスプロバイダ、ウェブポータルサービスプロバイダなどのものであり得る。
【００１４】
一部の実施例において、サーバは、オンライン投稿に関連する情報から、場所に関連する少なくとも１つの語を識別し、オンライン投稿が投稿された出所のロケーションを識別し、場所に関連する識別された語と、オンライン投稿が投稿された出所の識別されたロケーションとに少なくとも部分的に基づいて、オンライン投稿の信頼性を判定することが可能である。例として、限定としてではなく、日本国京都府にいるユーザが、日本国福島県の原子力発電所に関するオンライン投稿を投稿した場合、サーバは、そのオンライン投稿から、「福島県」という語を識別し、「京都府」というロケーションを識別し、「福島県」という語、および「京都府」というロケーションに少なくとも部分的に基づいて、オンライン投稿の信頼性を判定することが可能である。次に、判定された信頼性が、そのオンライン投稿の読者がそのオンライン投稿の信憑性を見分けるのに使用され得る。
【００１５】
一部の実施例において、サーバは、オンライン投稿の信頼性を、識別された語に関連する場所と識別されたロケーションとの間の距離に少なくとも部分的に基づいて、判定することが可能である。一部の実施例において、オンライン投稿の判定された信頼性は、識別された語に関連する場所と識別されたロケーションの間の距離が増大するにつれ、低下し得る。例として、限定としてではなく、京都府にいる第１のユーザが、福島県の原子力発電所に関する第１のオンライン投稿を投稿し、日本国仙台市にいる第２のユーザが、福島県の原子力発電所に関する第２のオンライン投稿を投稿した場合、サーバは、仙台市と福島県の間の距離が、京都府と福島県の間の距離より短いので、第２のオンライン投稿の信頼性の方が第１のオンライン投稿の信頼性より高いと判定することが可能である。
【００１６】
一部の実施例において、サーバは、オンライン投稿が投稿された出所のロケーションを、そのオンライン投稿を投稿するのに用いられたデバイスの、ＧＰＳ（全地球測位システム）情報などのロケーション情報に少なくとも部分的に基づいて、識別することが可能である。
【００１７】
一部の実施例において、サーバは、オンライン投稿を、そのオンライン投稿の判定された信頼性が所定の値より低い場合、ブロックすることが可能である。その後、サーバは、そのオンライン投稿を、そのオンライン投稿が投稿された出所の識別されたロケーション、および／またはそのオンライン投稿の判定された信頼性と一緒に提示することが可能である。
【００１８】
一部の実施例において、サーバが、デバイスから、目標区域に関する情報を含む検索要求を受信すると、サーバは、データベースから、目標区域内で投稿された１つまたは複数のオンライン投稿を取り出し、それらの取り出されたオンライン投稿をデバイスに提示することが可能である。ユーザは、探索要求を送信したデバイスに提示される、またはそのようなデバイス上に表示される地図上に円、多角形、またはループ状の曲線を描くことによって目標区域を選択することが可能であり、次に、サーバが、その目標区域内で投稿された１つまたは複数のオンライン投稿を取り出し、デバイスに提示することが可能である。
【００１９】
一部の実施形態において、サーバの構成要素であっても、サーバとは別個であるが、サーバによって制御されていてもよいデータベースが、１つまたは複数のオンライン投稿を格納することが可能である。
【００２０】
一部の実施例において、サーバが、デバイスから、検索クエリを含む検索要求を受信すると、サーバは、その検索クエリから、目標場所を識別し、識別された目標場所からの目標距離範囲を識別することが可能である。次に、サーバは、データベースから、識別された目標場所に関連する少なくとも１つの語を含み、識別された目標場所から目標距離範囲内で投稿された１つまたは複数のオンライン投稿を取り出し、取り出されたオンライン投稿をデバイスに提示することが可能である。例として、限定としてではなく、検索クエリが、「京都駅から自動車で約３０分の距離範囲内の紅葉」を含む場合、サーバは、京都駅を目標場所として、自動車で約３０分の距離、つまり、たとえば、約２０キロメートルから２５キロメートルを目標距離範囲として識別し、その目標場所からその目標距離範囲内で投稿された１つまたは複数のオンライン投稿を取り出して、デバイスに提示することが可能である。
【００２１】
一部の実施例において、サーバは、オンライン投稿の量の変動を監視することが可能である。或る区域内で投稿されたオンライン投稿の量が急に増加した場合、サーバは、いつどこでそれらのオンライン投稿が投稿されたかに少なくとも部分的に基づいて、事象発生の時刻および場所を推定することが可能である。一部の実施例において、或る区域内で投稿されたオンライン投稿の量が急に増加した場合、サーバは、アラームをトリガすることが可能である。
【００２２】
図１は、本明細書で説明される少なくとも一部の実施形態により構成されたサーバの例示的なアーキテクチャを示す概略ブロック図である。
【００２３】
図示されるとおり、サーバ１００が、オンライン投稿解析ユニット１１０と、ロケーション識別ユニット１２０と、信頼性判定ユニット１３０と、オンライン投稿提示ユニット１４０と、検索要求解析ユニット１５０と、取り出しユニット１６０とを含むことが可能である。別々の構成要素として示されるものの、さまざまな構成要素が、開示される主題の範囲内で企図されながら、さらなる構成要素に分割されても、組み合わされて、より少ない構成要素にされても、完全に省かれてもよい。例として、限定としてではなく、サーバ１００は、フェイスブック、グーグルプラス、ツイッターなどのソーシャルネットワークサービス（ＳＮＳ）プロバイダ、電子掲示板サービスプロバイダ、ウェブポータルサービスプロバイダなどのものであり得る。
【００２４】
オンライン投稿解析ユニット１１０は、オンライン投稿から、そのオンライン投稿の中で言及される場所に関連する少なくとも１つの語を識別するように構成され得る。例として、限定としてではなく、ユーザが、福島県の原子力発電所に関してオンライン投稿を投稿すると、オンライン投稿解析ユニット１１０が、そのオンライン投稿から、「福島県」という語を識別することが可能である。
【００２５】
ロケーション識別ユニット１２０は、オンライン投稿が投稿された出所のロケーションを識別するように構成され得る。一部の実施形態において、ロケーション識別ユニット１２０は、オンライン投稿が投稿された出所のロケーションを、そのオンライン投稿を投稿するのに用いられた投稿するデバイスのロケーション情報に少なくとも部分的に基づいて、識別することが可能である。一部の実施形態において、ロケーション識別ユニット１２０は、オンライン投稿が投稿された出所のロケーションを、そのオンライン投稿に関連するメタデータに少なくとも部分的に基づいて、識別することが可能である。一部の実施形態において、投稿するデバイスのロケーション情報は、オンライン投稿が投稿された際の投稿するデバイスのＧＰＳ（全地球測位システム）情報を含むことが可能である。例として、限定としてではなく、ユーザが、京都府内でユーザのスマートフォンを介してオンライン投稿を投稿すると、サーバが、「京都府」というロケーションを、そのスマートフォンのＧＰＳ情報に少なくとも部分的に基づいて、識別することが可能である。
【００２６】
信頼性判定ユニット１３０は、オンライン投稿の信頼性を、オンライン投稿解析ユニット１１０によって識別された語、およびロケーション識別ユニット１２０によって識別されたロケーションに少なくとも部分的に基づいて、判定するように構成され得る。一部の実施形態において、信頼性判定ユニット１３０は、オンライン投稿の信頼性を、オンライン投稿解析ユニット１１０によって識別された語に関連する場所とロケーション識別ユニット１２０によって識別されたロケーションとの間の距離に少なくとも部分的に基づいて、判定することが可能である。オンライン投稿の判定された信頼性は、オンライン投稿解析ユニット１１０によって識別された語に関連する場所とロケーション識別ユニット１２０によって識別されたロケーションの間の距離が増大するにつれ、低下し得る。例として、限定としてではなく、信頼性は、その距離の２乗、その距離の３乗、その距離の任意のｎ乗などに反比例してもよい。信頼性は、その距離の２乗、その距離の３乗、またはその距離の任意のｎ乗で割った任意のファクタ（たとえば、定数）として定義されてもよい。
【００２７】
オンライン投稿提示ユニット１４０は、投稿するデバイスを含む複数のデバイスにオンライン投稿を提示するように構成され得る。一部の実施形態において、オンライン投稿提示ユニット１４０は、オンライン投稿を、ロケーション識別ユニット１２０によって識別されたロケーションと一緒に提示することが可能である。一部の実施形態において、オンライン投稿提示ユニット１４０は、オンライン投稿を、信頼性判定ユニット１３０によって判定されたオンライン投稿の信頼性と一緒に提示することが可能である。一部の実施形態において、オンライン投稿提示ユニット１４０は、オンライン投稿を、信頼性判定ユニット１３０によって判定された信頼性が所定の値より低い場合、ブロックすることが可能である。
【００２８】
検索要求解析ユニット１５０は、要求するデバイスからの検索要求を解析するように構成され得る。一部の実施形態において、検索要求解析ユニット１５０は、検索要求の中で目標区域を識別することが可能である。例として、限定としてではなく、図２を参照して、より詳細に説明されるとおり、要求するデバイスのユーザが、要求するデバイスに提示される、または要求するデバイス上に表示される地図上に円、多角形、またはループ状の曲線を描くことによって目標区域を選択することが可能であり、次に、検索要求解析ユニット１５０が、ユーザによって目標区域として選択された区域を識別することが可能である。
【００２９】
図２は、本明細書で説明される少なくとも一部の実施形態により構成された、ユーザから、目標区域に関する情報を受け取り、その目標区域に関する情報を検索要求と一緒にサーバに送信するように構成されたデバイスの例示的な実施例を概略で示す。
【００３０】
図２に示されるとおり、デバイス２００が、地図２１０を表示することが可能である。次に、デバイス２００のユーザが、たとえば、地図２１０上に円２２０を描くことによって、目標区域を選択することが可能である。次に、サーバ１００が、デバイス２００から、地図２１０上に描かれた円２２０によって定められた区域に関する情報を検索結果と一緒に受信し、ユーザによって目標区域として選択された区域を識別することが可能である。デバイス２００の例には、タブレット、スマートフォン、モバイル電話機、携帯情報端末（ＰＤＡ）、モバイルゲームコンソール、ラップトップコンピュータ、デスクトップコンピュータ、またはサーバ１００にアクセスすることができる他の任意のデバイスが含まれ得るが、以上には限定されない。
【００３１】
図１を再び参照すると、一部の代替の実施形態において、検索要求解析ユニット１５０が、検索要求の中に含められることが可能な検索クエリから、目標場所、および／または目標場所からの目標距離範囲を識別することが可能である。例として、限定としてではなく、検索クエリが、「京都駅から自動車で約３０分の距離範囲内の紅葉」を含む場合、検索要求解析ユニット１５０は、京都駅を目標場所として、自動車で約３０分の距離を目標距離範囲として識別することが可能である。
【００３２】
取り出しユニット１６０は、検索要求解析ユニット１５０によって解析された検索要求に少なくとも部分的に基づいて、データベース（図１に示さず）から１つまたは複数のオンライン投稿を取り出すように構成され得る。一部の実施形態において、サーバ１００の構成要素であっても、サーバ１００とは別個であるが、サーバ１００によって制御されていてもよいデータベースが、１つまたは複数のオンライン投稿を、ロケーション識別ユニット１２０によって識別され得る、それぞれのオンライン投稿がどこで投稿されたかに関するロケーション情報と一緒に格納することが可能である。
【００３３】
一部の実施形態において、取り出しユニット１６０は、データベースから、検索要求解析ユニット１５０によって識別された目標区域内で投稿された１つまたは複数のオンライン投稿を取り出すことが可能である。一部の代替の実施形態において、取り出しユニット１６０は、データベースから、検索要求解析ユニット１５０によって識別された目標場所に関連する少なくとも１つの語を含み、目標場所から検索要求解析ユニット１５０によって識別された目標距離範囲内で投稿された１つまたは複数のオンライン投稿を取り出すことが可能である。
【００３４】
一部の実施形態において、オンライン投稿提示ユニット１４０は、取り出しユニット１６０によって取り出されたオンライン投稿を、要求するデバイスに提示することが可能である。一部の実施形態において、オンライン投稿提示ユニット１４０は、オンライン投稿を、信頼性判定ユニット１３０によって判定されたそれらのオンライン投稿の信頼性の順序で、要求するデバイスに提示することが可能である。一部の実施形態において、オンライン投稿提示ユニット１４０は、所定の値より低いと判定された信頼性を有するオンライン投稿のうちのいくつかを、要求するデバイスに提示しないことが可能である。
【００３５】
一部の実施形態において、オプションとして、サーバ１００は、監視ユニット１７０、事象発生検出ユニット１８０、および／またはアラームトリガユニット１９０をさらに含み得る。監視ユニット１７０は、オンライン投稿の量の変動を監視するように構成され得る。事象発生検出ユニット１８０は、或る区域内で投稿されたオンライン投稿の量が急に増加した場合、いつどこでそれらのオンライン投稿が投稿されたかに少なくとも部分的に基づいて、事象発生の時刻および場所を推定するように構成され得る。アラームトリガユニット１９０は、或る区域内で投稿されたオンライン投稿の量が急に増加した場合、アラームをトリガするように構成され得る。
【００３６】
図３は、本明細書で説明される少なくとも一部の実施形態により構成された、ロケーション情報に少なくとも部分的に基づいて、オンライン投稿の信頼性を判定するためのプロセスの例示的な流れ図を示す。
【００３７】
図３のプロセスは、前述したオンライン投稿解析ユニット１１０、ロケーション識別ユニット１２０、信頼性判定ユニット１３０、オンライン投稿提示ユニット１４０、検索要求解析ユニット１５０、および取り出しユニット１６０を含むサーバ１００などのサーバにおいて実施され得る。例示的なプロセス３００は、１つまたは複数のブロック３１０、３２０、および／または３３０によって例示される１つまたは複数の動作（ｏｐｅｒａｔｉｏｎ）、作用（ａｃｔｉｏｎ）、または機能を含み得る。別々のブロックとして示されるものの、さまざまなブロックが、所望される実装形態に依存して、さらなるブロックに分割されても、組み合わされて、より少ないブロックにされても、省かれてもよい。処理は、ブロック３１０で始まることが可能である。
【００３８】
ブロック３１０（場所に関連する語を識別する）で、サーバ１００が、オンライン投稿から、場所に関連する少なくとも１つの語を識別することが可能である。処理は、ブロック３１０からブロック３２０に進むことが可能である。
【００３９】
ブロック３２０（ロケーションを識別する）で、サーバ１００が、オンライン投稿が投稿された出所のロケーションを識別することが可能である。一部の実施形態において、サーバ１００は、そのロケーションを、そのオンライン投稿を投稿するのに用いられたデバイスのロケーション情報、たとえば、ＧＰＳ（全地球測位システム）情報に少なくとも部分的に基づいて、識別することが可能である。処理は、ブロック３２０からブロック３３０に進むことが可能である。
【００４０】
ブロック３３０（場所に関連する識別された語、および識別されたロケーションに少なくとも部分的に基づいて、信頼性を判定する）で、サーバ１００が、オンライン投稿の信頼性を、場所に関連する識別された語と、オンライン投稿が投稿された識別されたロケーションとに少なくとも部分的に基づいて、判定することが可能である。一部の実施形態において、サーバは、信頼性を、識別された語に関連する場所と識別されたロケーションとの間の距離に少なくとも部分的に基づいて、判定することが可能である。一部の実施形態において、オンライン投稿の判定された信頼性は、識別された語に関連する場所と識別されたロケーションの間の距離が増大するにつれ、低下し得る。例として、限定としてではなく、信頼性は、その距離の２乗、その距離の３乗、その距離の任意のｎ乗などに反比例してもよい。信頼性は、ファクタ（たとえば、定数）をその距離の２乗、その距離の３乗、またはその距離の任意のｎ乗に割った数値として定義され得る。
【００４１】
図４は、本明細書で説明される少なくとも一部の実施形態により構成された、１つまたは複数のオンライン投稿に関する検索要求に応答して検索結果をもたらすためのプロセスの例示的な流れ図を示す。
【００４２】
図４のプロセスは、前述したオンライン投稿解析ユニット１１０、ロケーション識別ユニット１２０、信頼性判定ユニット１３０、オンライン投稿提示ユニット１４０、検索要求解析ユニット１５０、および取り出しユニット１６０を含むサーバ１００などのサーバにおいて実施され得る。例示的なプロセス４００は、１つまたは複数のブロック４１０、４２０、および／または４３０によって例示される１つまたは複数の動作、作用、または機能を含み得る。別々のブロックとして示されるものの、さまざまなブロックが、所望される実装形態に依存して、さらなるブロックに分割されても、組み合わされて、より少ないブロックにされても、省かれてもよい。処理は、ブロック４１０で始まることが可能である。
【００４３】
ブロック４１０（検索要求を受信する）で、サーバ１００が、デバイスから検索要求を受信することが可能である。一部の実施形態において、検索要求は、目標区域に関する情報を含み得る。処理は、ブロック４１０からブロック４２０に進むことが可能である。
【００４４】
ブロック４２０（目標区域内で投稿されたオンライン投稿を取り出す）で、サーバ１００が、データベースから、目標区域内で投稿された１つまたは複数のオンライン投稿を取り出すことが可能である。一部の実施形態において、データベースは、その１つまたは複数のオンライン投稿を、それぞれのオンライン投稿がどこで投稿されたかに関するロケーション情報と一緒に格納することが可能である。処理は、ブロック４２０からブロック４３０に進むことが可能である。
【００４５】
ブロック４３０（取り出されたオンライン投稿を提示する）で、サーバ１００が、取り出されたオンライン投稿を検索結果として提示することが可能である。一部の実施形態において、サーバは、それらのオンライン投稿を、それらのオンライン投稿の信頼性の順序で提示することが可能である。一部の実施形態において、サーバは、信頼性が所定の値より低いオンライン投稿のうちのいくつかを選別して除いてもよい。
【００４６】
図５は、本明細書で説明される少なくとも一部の実施形態により構成された、１つまたは複数のオンライン投稿に関する検索要求に応答して検索結果をもたらすためのプロセスの別の例示的な流れ図を示す。
【００４７】
図５のプロセスは、前述したオンライン投稿解析ユニット１１０、ロケーション識別ユニット１２０、信頼性判定ユニット１３０、オンライン投稿提示ユニット１４０、検索要求解析ユニット１５０、および取り出しユニット１６０を含むサーバ１００などのサーバにおいて実施され得る。例示的なプロセス５００は、１つまたは複数のブロック５１０、５２０、５３０および／または５４０によって例示される１つまたは複数の動作、作用、または機能を含み得る。別々のブロックとして示されるものの、さまざまなブロックが、所望される実装形態に依存して、さらなるブロックに分割されても、組み合わされて、より少ないブロックにされても、省かれてもよい。処理は、ブロック５１０で始まることが可能である。
【００４８】
ブロック５１０（検索要求を受信する）で、サーバ１００が、デバイスから、検索クエリを含む検索要求を受信することが可能である。処理は、ブロック５１０からブロック５２０に進むことが可能である。
【００４９】
ブロック５２０（目標場所および目標距離範囲を識別する）で、サーバ１００が、検索クエリから、目標場所、および目標場所からの目標距離範囲を識別することが可能である。処理は、ブロック５２０からブロック５３０に進むことが可能である。
【００５０】
ブロック５３０（目標場所に関連する語を含み、目標場所から目標距離範囲内で投稿されたオンライン投稿を取り出す）で、サーバ１００が、データベースから、識別された目標場所に関連する少なくとも１つの語を含み、識別された目標場所から目標距離範囲内で投稿された１つまたは複数のオンライン投稿を取り出すことが可能である。一部の実施形態において、データベースは、１つまたは複数のオンライン投稿を、それぞれのオンライン投稿がどこで投稿されたかに関するロケーション情報と一緒に格納することが可能である。処理は、ブロック５３０からブロック５４０に進むことが可能である。
【００５１】
ブロック５４０（取り出されたオンライン投稿を提示する）で、サーバ１００が、取り出されたオンライン投稿を検索結果として、要求するデバイスに提示することが可能である。一部の実施形態において、サーバは、それらのオンライン投稿を、それらのオンライン投稿の信頼性の順序で提示することが可能である。一部の実施形態において、サーバは、信頼性が所定の値より低いオンライン投稿のうちのいくつかをブロックすることが可能である。
【００５２】
本明細書で開示されるこれらのおよびその他のプロセスおよび方法に関して、それらのプロセスおよび方法において実行される機能は、異なる順序で実施されてもよいことが当業者には認識されよう。さらに、概略を述べたステップおよび動作は、例として与えられるに過ぎず、それらのステップおよび動作のうちのいくつかは、開示される実施形態の本質を逸脱することなく、オプションであっても、組み合わされて、より少ないステップおよび動作にされても、またはさらなるステップおよび動作に拡大されてもよい。
【００５３】
図６は、本明細書で説明される少なくとも一部の実施形態により構成された、ロケーション情報に少なくとも部分的に基づいて、オンライン投稿の信頼性を判定するのに利用され得る例示的なコンピュータプログラム製品を示す。
【００５４】
プログラム製品６００が、信号担持媒体６０２を含み得る。信号担持媒体６０２は、たとえば、プロセッサによって実行されると、図１〜図５に関連して前述した機能をもたらすことが可能な１つまたは複数の命令６０４を含み得る。例として、命令６０４は、対応するオンライン投稿が投稿された出所のロケーションに少なくとも部分的に基づいて、複数のオンライン投稿の各投稿の信頼性を判定するための１つまたは複数の命令と、判定された信頼性に少なくとも部分的に基づいて、複数のオンライン投稿を選別するための１つまたは複数の命令とを含むことが可能である。このため、たとえば、図１を参照すると、サーバ１００が、命令６０４に応答して、図３に示されるブロックのうちの１つまたは複数を行うことが可能である。
【００５５】
一部の実装形態において、信号担持媒体６０２は、ハードディスクドライブ、ＣＤ、ＤＶＤ、デジタルテープ、メモリなどの、ただし、以上には限定されないコンピュータ可読媒体６０６を包含することが可能である。一部の実装形態において、信号担持媒体６０２は、メモリ、読取り／書込み（Ｒ／Ｗ）ＣＤ、Ｒ／Ｗ  ＤＶＤなどの、ただし、以上には限定されない記録可能媒体６０８を包含することが可能である。一部の実装形態において、信号担持媒体６０２は、デジタル通信媒体および／またはアナログ通信媒体（たとえば、光ファイバケーブル、導波管、有線通信リンク、ワイヤレス通信リンクなど）などの、ただし、以上には限定されない通信媒体６１０を包含することが可能である。このため、たとえば、プログラム製品６００は、ＲＦ信号担持媒体６０２によってサーバ１００の１つまたは複数のモジュールに伝えられることが可能であり、ただし、信号担持媒体６０２は、ワイヤレス通信媒体６１０（たとえば、ＩＥＥＥ８０２．１１標準に準拠するワイヤレス通信媒体）によって伝えられる。
【００５６】
図７は、本明細書で説明される少なくとも一部の実施形態により構成された、ロケーション情報に少なくとも部分的に基づいて、オンライン投稿の信頼性を判定し、さらに／または１つもしくは複数のオンライン投稿に関する検索要求に応答して検索結果をもたらすのに利用され得る例示的なコンピューティングデバイスを示すブロック図である。
【００５７】
これらの実施例において、コンピューティングデバイス７００の要素が、サーバのために配置される、または構成されることが可能である。非常に基本的な構成７０２において、コンピューティングデバイス７００は、通常、１つまたは複数のプロセッサ７０４と、システムメモリ７０６とを含む。メモリバス７０８が、プロセッサ７０４とシステムメモリ７０６の間で通信するために使用され得る。
【００５８】
所望される構成に依存して、プロセッサ７０４は、マイクロプロセッサ（μＰ）、マイクロコントローラ（μＣ）、デジタルシグナルプロセッサ（ＤＳＰ）、またはそれらの任意の組合せを含むが、以上には限定されない任意のタイプのものであることが可能である。プロセッサ７０４は、レベル１キャッシュ７１０およびレベル２キャッシュ７１２、プロセッサコア７１４、ならびにレジスタ７１６などの１つまたは複数のレベルのキャッシングを含み得る。例示的なプロセッサコア７１４は、算術論理演算装置（ＡＬＵ）、浮動小数点数演算装置（ＦＰＵ）、デジタル信号処理コア（ＤＳＰコア）、またはそれらの任意の組合せを含み得る。また、例示的なメモリコントローラ７１８が、プロセッサ７０４と一緒に使用されることも可能であり、または一部の実装形態において、メモリコントローラ７１８が、プロセッサ７０４と一体化していてもよい。
【００５９】
所望される構成に依存して、システムメモリ７０６は、揮発性メモリ（ＲＡＭなど）、不揮発性メモリ（ＲＯＭ、フラッシュメモリなど）、またはそれらの任意の組合せを含むが、以上には限定されない任意のタイプのものであることが可能である。システムメモリ７０６は、オペレーティングシステム７２０、１つまたは複数のアプリケーション７２２、およびプログラムデータ７２４を含み得る。アプリケーション７２２は、図１に示されるサーバ１００アーキテクチャに関して説明した作用を含む、または図３〜図５に関して説明した作用を含む、本明細書で説明される機能を実行するように構成されることが可能な命令７２６を含み得る。一部の実施例において、アプリケーション７２２は、本明細書で説明される電子デバイスに関する命令が実施されるようにオペレーティングシステム７２０上でプログラムデータ７２４を操作するように構成され得る。
【００６０】
コンピューティングデバイス７００は、基本構成７０２と要求される任意のデバイスおよびインターフェースの間の通信を円滑にする、さらなる特徴もしくは機能、およびさらなるインターフェースを有することが可能である。たとえば、バス／インターフェースコントローラ７３０が、ストレージインターフェースバス７３４を介して基本構成７０２と１つまたは複数のデータ記憶装置７３２の間の通信を円滑にするのに使用され得る。データ記憶装置７３２は、取外し式ストレージデバイス７３６であっても、非取外し式ストレージデバイス７３８であっても、それらの組合せであってもよい。取外し式ストレージデバイスおよび非取外し式ストレージデバイスの例には、いくつかを挙げると、フレキシブルディスクドライブやハードディスクドライブ（ＨＤＤ）などの磁気ディスクデバイス、コンパクトディスク（ＣＤ）ドライブまたはデジタルバーサタイルディスク（ＤＶＤ）ドライブなどの光ディスクドライブ、ソリッドステートドライブ（ＳＳＤ）、およびテープドライブが含まれる。例示的なコンピュータ記憶媒体には、コンピュータ可読命令、データ構造、プログラムモジュール、または他のデータなどの情報を格納するために任意の方法または技術で実装された揮発性媒体および不揮発性媒体、取外し式媒体および非取外し式媒体が含まれ得る。
【００６１】
システムメモリ７０６、取外し式ストレージデバイス７３６、および非取外し式ストレージデバイス７３８は、コンピュータ記憶媒体の例である。コンピュータ記憶媒体には、ＲＡＭ、ＲＯＭ、ＥＥＰＲＯＭ、フラッシュメモリもしくは他のメモリ技術、ＣＤ−ＲＯＭ、デジタルバーサタイルディスク（ＤＶＤ）もしくは他の光ストレージ、磁気カセット、磁気テープ、磁気ディスクストレージもしくは他の磁気ストレージデバイス、または所望される情報を格納するのに使用され得、コンピューティングデバイス７００によってアクセスされ得る他の任意の媒体が含まれるが、以上には限定されない。任意のそのようなコンピュータ記憶媒体が、コンピューティングデバイス７００の一部であり得る。
【００６２】
また、コンピューティングデバイス７００は、バス／インターフェースコントローラ７３０を介したさまざまなインターフェースデバイス（たとえば、出力デバイス７４２、周辺インターフェース７４４、および通信装置７４６）からの基本構成７０２に対する通信を円滑にするためのインターフェースバス７４０を含むことも可能である。例示的な出力デバイス７４２には、１つまたは複数のＡ／Ｖポート７５２を介してディスプレイまたはスピーカなどのさまざまな外部デバイスに通信するように構成され得る、グラフィック処理ユニット７４８およびオーディオ処理ユニット７５０が含まれる。例示的な周辺インターフェース７４４には、１つまたは複数のＩ／Ｏポート７５８を介して入力デバイス（たとえば、キーボード、マウス、ペン、音声入力デバイス、タッチ入力デバイスなど）または他の周辺デバイス（たとえば、プリンタ、スキャナなど）などの外部デバイスと通信するように構成され得るシリアルインターフェースコントローラ７５４またはパラレルインターフェースコントローラ７５６が含まれる。例示的な通信装置７４６には、１つまたは複数の通信ポート７６４経由でネットワーク通信リンクを介して他の１つまたは複数のコンピューティングデバイス７６２との通信を円滑にするように構成され得るネットワークコントローラ７６０が含まれる。
【００６３】
ネットワーク通信リンクは、通信媒体の一例であり得る。通信媒体は、通常、搬送波または他のトランスポート機構などの変調されたデータ信号内のコンピュータ可読命令、データ構造、プログラムモジュール、または他のデータによって実現されることが可能であり、任意の情報配信媒体を含むことが可能である。「変調されたデータ信号」とは、信号内に情報を符号化するように信号の特性のうちの１つまたは複数が設定されている、または変更されている信号であり得る。例として、限定としてではなく、通信媒体には、有線ネットワークもしくは直接配線接続などの有線媒体、ならびに音響媒体、無線周波数（ＲＦ）媒体、マイクロ波媒体、赤外線（ＩＲ）媒体、および他のワイヤレス媒体などのワイヤレス媒体が含まれ得る。本明細書で使用されるコンピュータ可読媒体という用語には、記憶媒体と通信媒体が共に含まれ得る。
【００６４】
コンピューティングデバイス７００は、セル電話機、携帯情報端末（ＰＤＡ）、パーソナルメディアプレーヤデバイス、ワイヤレスウェブウォッチデバイス、パーソナルヘッドセットデバイス、特定用途向けデバイス、または前述の機能のいずれかを含むハイブリッドデバイスなどのスモールフォームファクタポータブル（またはモバイル）電子デバイスの一部分として実装され得る。また、コンピューティングデバイス７００は、ラップトップコンピュータ構成と非ラップトップコンピュータ構成の両方を含むパーソナルコンピュータとして実装されることも可能である。
【００６５】
本開示は、さまざまな態様の例示であることが意図される、本出願において説明される特定の実施形態に関連して限定されない。当業者には明白となるように、本開示の趣旨および範囲を逸脱することなく、多くの変形および変更が行われ得る。本明細書で列挙される方法および装置に加えて、本開示の範囲に含まれる機能的に均等の方法および装置が、上述の説明から当業者には明白となろう。そのような変形および変更は、添付の特許請求の範囲に含まれることが意図される。本開示は、添付の特許請求の範囲、ならびにそのような特許請求の範囲に認められる均等物の完全な範囲に関連してのみ限定されるべきである。本開示は、むろん、さまざまであり得る特定の方法、試薬、化合物、構成物、または生物系に限定されないことを理解されたい。また、本明細書で使用される用語は、特定の実施形態を説明することだけを目的としており、限定することは意図していないことも理解されたい。
【００６６】
本明細書における実質的にすべての複数形および／または単数形の用語の使用に対して、当業者は、状況および／または用途に適切なように、複数形から単数形に、および／または単数形から複数形に変換することができる。さまざまな単数形／複数形の置き換えは、理解しやすいように、本明細書で明確に説明することができる。
【００６７】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（たとえば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施形態に限定する、ということを示唆していると解釈されるべきではない（たとえば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう（たとえば、他の修飾語なしでの「２つの記載（ｔｗｏ  ｒｅｃｉｔａｔｉｏｎｓ）」の単なる記載は、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（たとえば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（たとえば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステ���を含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。たとえば、句「ＡまたはＢ」は、「Ａ」または「Ｂ」あるいは「ＡおよびＢ」の可能性を含むことが理解されよう。
【００６８】
さらに、本開示の特徴または態様がマーカッシュグループに関連して説明される場合、本開示は、その結果、そのマーカッシュグループの任意の個別のメンバ、またはサブグループのメンバに関連しても説明されることが当業者には認識されよう。
【００６９】
当業者には理解されるとおり、書面の説明を与えることに関してなど、事実上、本明細書で開示されるすべての範囲は、その範囲の可能なすべての部分的範囲、およびその範囲の部分的範囲の組合せも包含する。いずれのリストアップされる範囲も、少なくとも等しい１／２、１／３、１／４、１／５、１／１０などに細分された同一の範囲を十分に説明し、可能にするものと容易に認識され得る。限定しない例として、本明細書で説明される各範囲は、下１／３、中１／３、および上１／３などに容易に細分され得る。当業者には理解されるとおり、「〜まで」、「少なくとも〜」などのすべての言い回しは、記載される数を含み、前述したとおり、部分的範囲にその後、細分され得る範囲を指す。最後に、当業者には理解されるとおり、範囲は、個別の各メンバを含む。このため、たとえば、１〜３のセルを有するグループとは、１つのセル、２つのセル、または３つのセルを有するグループを指す。同様に、１〜５のセルを有するグループとは、１つのセル、２つのセル、３つのセル、４つのセル、または５つのセルを有するグループを指すといった具合である。
【００７０】
以上のことから、本開示のさまざまな実施形態は、例示の目的で本明細書において説明されてきたこと、および本開示の範囲および趣旨を逸脱することなく、さまざまな変形が行われ得ることが認識されよう。したがって、本明細書で開示されるさまざまな実施形態は、限定することは意図しておらず、真の範囲および趣旨は、以下の特許請求の範囲によって示される。
【図１】
0005968535.tif 000002
【図２】
0005968535.tif 000003
【図３】
0005968535.tif 000004
【図４】
0005968535.tif 000005
【図５】
0005968535.tif 000006
【図６】
0005968535.tif 000007
【図７】
0005968535.tif 000008